(57)【要約】  スイングオープン型パッケージは、箱ボディ（１０）と、この箱ボディ（１０）に上方から被せられた蓋（１２）と、蓋（１２）と箱ボディ（１０）とを連結するスイング装置とを有し、スイング装置は、箱ボディ（１０）の後壁の一部によって形成された可動後壁部（３６）、蓋（１２）と箱ボディ（１０）の横断壁（２１）とを連結する支えフラップ（４４）とによって形成され、箱ボディ（１０）から蓋（１２）の前壁が持ち上げられたとき、蓋（１２）にスイング動作を付与し、このスイング動作は蓋（１２）を斜めにして大きく開かせる。
2009107520.tif 000002
【特許請求の範囲】
【請求項１】
矩形の箱ボディであって、底壁、前壁、後壁及び一対の側壁を有する、箱ボディと、
前記箱ボディに上方から被せられた矩形の蓋であって、前記箱ボディの前記底壁、前記前壁、前記後壁及び前記側壁のそれぞれに対応する上壁、前壁、後壁及び一対の側壁を有する、蓋と、
前記箱ボディと前記蓋とを相互に連結し且つ前記蓋の前記前壁が前記箱ボディから引き上げられたとき、前記蓋を前記箱ボディの後方に移動させながら前記蓋の前記後壁を下降させるスイング動作を前記蓋に付与するスイング装置と
を備えるスイングオープン型パッケージ。
【請求項２】
前記スイング装置は、
前記箱ボディの前記後壁の一部によって形成された可動後壁部であって、前記箱ボディの前記底壁にヒンジを介して接続された可動後壁部と、
前記可動後壁部の上縁から延び、前記蓋の内面に結合された結合フラップと
を含む、請求項１のスイングオープン型パッケージ。
【請求項３】
前記スイング装置は、
前記箱ボディの前記前壁から所定の距離を存して配置され、前記箱ボディの前記左右の側壁の上縁同士を接続し且つ前記箱ボディの前記前壁との間にアクセス開口を確保する、横断壁と、
前記横断壁と前記蓋の前記内面とを互いに結合する支えフラップであって、前記横断壁及び前記蓋の前記内面との結合位置にヒンジをそれぞれ有し、前記蓋に前記スイング動作を付与すべく前記各ヒンジに沿って屈曲可能な支えフラップと
を更に含む、請求項２のスイングオープン型パッケージ。
【請求項４】
前記蓋は前記左右の側壁に指掛け部をそれぞれ有し、前記指掛け部は前記側壁の下縁の切欠によって形成されている、請求項１〜３の何れかのスイングオープン型パッケージ。
【請求項５】
前記スイング装置は、前記横断壁に形成された切欠を更に含み、前記蓋が前記箱ボディに被せられたとき、前記切欠は前記結合フランジを受け入れる、請求項１ないし３の何れかのスイングオープン型パッケージ。
【請求項６】
前記蓋が前記箱ボディに被せられたとき、クリック音を発生させる音発生装置を更に含む、請求項１〜３の何れかのスイングオープン型パッケージ。
【請求項７】
前記発生装置は、
前記箱ボディにおける前記前壁の上端から外側に突出した係止タングと、
前記蓋における前記前壁の内面に形成された凹所と
を含み、
前記蓋が前記箱ボディに被せられることにより、前記蓋の前記前壁及び前記箱ボディの前記前壁が互いに重なり合って前記係止タングが前記凹所内に受け入れられるとき、前記係止タングの先端は前記凹所の縁を弾いてクリック音を発生させる、請求項６のスイングオープン型パッケージ。
【請求項８】
前記箱ボディ、前記可動後壁部、前記結合フラップ及び前記横断壁は１枚のブランクから形成されている、請求項２のスイングオープン型パッケージ。
【発明の詳細な説明】
【技術分野】
【０００１】
本発明は、フィルタシガレット等の棒状物品の収容に好適したスイングオープン型パッケージに関する。
【背景技術】
【０００２】
例えば、菓子箱等の扁平な箱は、上面にて開口された箱ボディと、この箱ボディの開口を開閉する蓋とを含み、この蓋は箱ボディの上部に被せられることで、箱ボディの開口を閉じることができる（例えば、特許文献１）。このような特許文献１の箱によれば、蓋が箱ボディから持ち上げられ、そして箱ボディから取り外されたとき、箱ボディの開口は開かれ、箱ボディ内の商品は箱ボディの開口を通じて容易に取り出される。
【先行技術文献】
【０００３】
【特許文献１】特開2002-284139号公報
【発明の開示】
【発明が解決しようとする課題】
【０００４】
上述した特許文献１の箱は、箱ボディ及び蓋の２つのパーツからなっている。それ故、取り外された蓋はその上下を逆にして箱ボディの下部に嵌め合わされるか、又は、箱本ボディとは別の場所を置かれることになり、蓋の取り扱いは不便である。【０００５】
また、取り外された蓋が箱ボディに再び被せられるとき、これら箱ボディ及び蓋が共に完全な正方形でない限り、箱ボディに対して蓋の向きを合わせる必要がある。このため、箱ボディに蓋を被せるのも簡便ではない。【０００６】
本発明の目的は、箱ボディを大きく開くことができ、しかも、箱ボディが開かれた後の蓋の取り扱いが容易になるスイングオープン型パッケージを提供することにある。
【課題を解決するための手段】
【０００７】
上記の目的を達成するため、本発明のスイングオープン型パッケージは、矩形の箱ボディであって、底壁、前壁、後壁及び一対の側壁を有する、箱ボディと、この箱ボディに上方から被せられた矩形の蓋であって、箱ボディの底壁、前壁、後壁及び側壁のそれぞれに対応する上壁、前壁、後壁及び一対の側壁を有する、蓋と、箱ボディと記蓋とを相互に連結し且つ蓋の前壁が箱ボディから引き上げられたとき、蓋を箱ボディの後方に移動させながら蓋の後壁を下降させるスイング動作を蓋に付与するスイング装置とを備える。【０００８】
上述のパッケージによれば、蓋が箱ボディに被せられている状態から、箱ボディに対して蓋の前壁が上方に向けて持ち上げられとき、蓋は箱ボディの後方に移動しながら、その後壁が下降され、箱ボディに対して斜め開かれる。それ故、箱ボディの前部は大きく開かれる。【０００９】
この後、蓋が逆向きにスイング動作されたとき、蓋は箱ボディの前方に移動しながら下降して箱ボディに被せられる。即ち、パッケージは再び閉状態に復帰する。【００１０】
具体的には、スイング装置は、箱ボディの後壁の一部によって形成された可動後壁部であって、箱ボディの底壁にヒンジを介して接続された可動後壁部と、可動後壁部の上縁から延び、前記蓋の内面に結合された結合フラップとを含むことができる。【００１１】
このような可動後壁部及び結合フラップは箱ボディ及び蓋の連結状態を維持した状態で、蓋のスイング動作を可能にする。【００１２】
更に、スイング装置は、箱ボディの前壁から所定の距離を存して配置され、箱ボディの左右の側壁の上縁同士を接続し且つ箱ボディの前壁との間にアクセス開口を確保する、横断壁と、この横断壁と記蓋の内面とを互いに結合する支えフラップであって、横断壁及び蓋の前記内面との結合位置にヒンジをそれぞれ有し、蓋にスイング動作を付与すべく各ヒンジに沿って屈曲可能な支えフラップとを更に含むことができる。このような支えフラップは、蓋のスイング動作を案内し、蓋のスイング軌跡を安定化させる。【００１３】
好ましくは、蓋は左右の側壁に指掛け部をそれぞれ有し、これら指掛け部は側壁の下縁の切欠によって形成されている。このような指掛け部は箱ボディからの蓋の持ち上げを容易にする。【００１４】
更に好ましくは、スイング装置は、横断壁に形成された切欠を更に含み、蓋が箱ボディに被せられたとき、切欠は結合フランジを受け入れることができる。この場合、結合フランジは、箱ボディに蓋が被せられたとき、蓋の上壁は箱ボディの横断壁に良好に接触することができる。【００１５】
また、切欠の存在は、箱ボディ、可動後壁部、結合フラップ及び横断壁を１枚のブランクから形成可能とする。【００１６】
更に、スイングオープン型パッケージは、蓋が箱ボディに被せられたとき、クリック音を発生させる音発生装置を更に含むことができる。具体的には、音発生装置は、箱ボディにおける前壁の上端から外側に突出した係止タングと、蓋における前壁の内面に形成された凹所とを含むことができる。この場合、蓋が箱ボディに被せられることにより、蓋の前壁及び箱ボディの前壁が互いに重なり合って、係止タングが凹所内に受け入れられるとき、係止タングの先端は凹所の縁を弾いてクリック音を発生させる。このようなクリック音は、ユーザに蓋が箱ボディに確実に被さったことを明瞭に認識させる。
【発明の効果】
【００１７】
本発明のスイングオープン型パッケージによれば、箱ボディから蓋が持ち上げられたとき、蓋にスイング動作が与えられる。このような蓋のスイング動作は箱ボディの前部を大きく開き、箱ボディからの商品の取出しを容易にする。蓋はスイング装置により箱ボディに常時連結された状態にあるので、蓋の取り扱い及び蓋、即ち、パッケージの開閉は容易になる。
【図面の簡単な説明】
【００１８】
【図１】一実施例のスライドオープン型パッケージを閉じた状態で示す斜視図である。
【図２】図１のパッケージを開いた状態で示す斜視図である。
【図３】図２中、III-III線に沿うパッケージの断面図である。
【図４】箱ボディを成形するためのブランクを示す図である。
【図５】図３中、V部の詳細図である。
【図６】図３中、VI部の可動後壁部及び結合フラップの形成を説明するための図である。
【図７】蓋を成形するためのブランクを示した図である。
【図８】図３中、VIII部の詳細図である。
【図９】図２中、IX部の断面図である。
【図１０】支えフラップのためのブランクを示した図である。
【図１１】支えフラップを形成するため、図１０のブランクが屈曲された状態を示す図である。
【発明を実施するための形態】
【００１９】
図１〜図３は、一実施例のスイングオープン型パッケージをそれぞれ示す。
パッケージは矩形且つ薄形の箱ボディ１０と、この箱ボディ１０に上方から被せられる蓋１２とを含み、この蓋１２は箱ボディ１０と同様な形状を有する。
【００２０】
詳しくは、箱ボディ１０は上面にて開口され、底壁１４と、この底壁１４の外周を囲む周壁とを含む。この周壁は前壁１６、左右の側壁１８及び後壁２０を有する（図２及び図３）。更に、箱ボディ１０の前部１０ｆは箱ボディ１０の後部よりも低い高さを有する。このため、左右の側壁１８の前部はそれらの上縁にて凹んでいる。一方、箱ボディ１０の後部は横断壁２１を有し、この横断壁２１は箱ボディ１０の幅方向に延び、両端にて左右の側壁１８の上縁にそれぞれ接続されている。箱ボディ１０は前壁１６と横断壁２１との間に確保されたアクセス開口１９を有する。
【００２１】
上述した箱ボディ１０の内部には、例えばインナパック（図示しない）が収容されている。このインナパックは、フィルタシガレットやシガレット等の棒状商品の配列と、この配列を包み込む包材とを含む。
【００２２】
更に、図２及び図３から明らかなように前壁１６はその上縁に係止タング２２を有する。この係止タング２２は前壁１６から箱ボディ１０の前方に向けて突出され、前壁１６の前面に向けて折り込み可能である。
【００２３】
前述した蓋１２は、上壁２４と、この上壁２４の周囲を囲む周壁を含み、この周壁は前壁２６、左右の側壁２８及び後壁３０を有する。蓋１２が箱ボディ１０に被せられたとき、蓋１２の上壁２４は箱ボディ１０の開口面全体が横断壁２１とともに覆い、蓋１２の周壁は箱ボディ１０の周壁に重ね合わされる。蓋１２の各側壁２８にはその下縁に切欠がそれぞれ形成されている。これら切欠は側壁２８の長手方向でみて、側壁２８の中央から蓋１２の前壁２６寄りに位置付けられ、指掛け部３２を形成する。
【００２４】
また、図３に示されているように蓋１２の前壁２６はその内面に凹所３４を有する。箱ボディ１０に蓋１２が被せられたとき、即ち、パッケージが閉じられとき、凹所３４は箱ボディ１０の係止タング２２を受け入れることができ、この際、これら係止タング２２及び凹所３４は互いに協働し、明瞭なクリック音を発生する。このクリック音は蓋１２が箱ボディ１０に完全に被せられたこと、即ち、パッケーが閉じられたことを示す。
【００２５】
より詳しくは、箱ボディ１０に蓋１２が被せられるとき、蓋１２の前壁２６はその内面にて箱ボディ１０における前壁１６の外面に接触した状態で、前壁１６の外面に沿って押し下げられる。この際、前壁２６は前壁１６の係止タング２２を折り込み、そして、この係止タング２２が前壁２６の凹所３４内に落ち込んだとき、係止タング２２の先端縁は凹所３４の開口縁を弾き、これにより、クリック音が明瞭に発生する。
【００２６】
一方、箱ボディ１０及び蓋１２はスイング装置を介して互いに連結され、このスイング装置について以下に詳述する。
【００２７】
スイング装置は可動後壁部３６を含み、この可動後壁部３６は、箱ボディ１０の後壁２０の一部によって形成されている。即ち、後壁２０にはその幅方向中央部に一対のスリットを有しており、これらスリットは後壁２０を３つの部分に分割する。これら部分のうち、中央に位置した部分は底壁１４にヒンジ３８を介して接続され、可動後壁部３６を形成する。
【００２８】
可動後壁部３６の上縁には折り込み線を介して結合フラップ４０が接続されている。この結合フラップ４０は蓋１２における上壁２４の内面に貼付けられ、蓋１２の後壁３０から前壁２６に向けて延びている。このような結合フラップ４０は箱ボディ１０の可動後壁部３６と蓋１２とを相互に連結する。
【００２９】
一方、箱ボディ１０の横断壁２１には切欠４２（図３）が形成され、この切欠４２は後壁２０から前壁１６に向けて延びている。箱ボディ１０に蓋１２が被せられたとき、切欠４２は結合フラップ４０を受け入れることができる。
【００３０】
更に、図３から明らかなように、箱ボディ１０の横断壁２１及び蓋１２の上壁２４は支えフラップ４４によって互いに連結されている。この支えフラップ４４はその両端部に結合部４６，４８を有し、これら結合部４６，４８は横断壁２１の上面及び上壁２４の内面にそれぞれ接着されている。また、支えフラップ４４は結合部４６，４８間に中間部５０を更に有し、この中間部５０と結合部４６との間及び中間部５０と結合部４８との間はそれぞれヒンジ５２，５４として形成されている。
【００３１】
上述の説明から明らかなように、箱ボディ１０及び蓋１２はスイング装置の可動後壁部３６、結合フラップ４０及び支えフラップ４４により相互に連結されている。それ故、パッケージが閉じられている状態（図１）から、箱ボディ１０に対して蓋１２の前部がユーザにより上方に持ち上げられたとき、可動後壁部３６はヒンジ３８を中心に外側に向けて回動し、一方、支えフラップ４４はヒンジ５２，５４にてそれぞれ屈曲される。このような可動後壁部３６の回動及び支えフラップ４４の屈曲は、蓋１２に図２及び図３に示されるようなスイング動作を付与し、これにより、蓋１２は、その後壁３０が後方且つ下方に向けて移動し且つその前壁２６が後方且つ上方に向けて移動し、これにより、箱ボディ１０の前部は大きく開かれる。それ故、ユーザは箱ボディ１０内からアクセス開口１９を通じ、棒状商品を容易に取り出すことができる。
【００３２】
この後、ユーザが蓋１２を箱ボディ１０の前壁１６側に向けて移動させながら押し下げたとき、蓋１２は上述のスイング装置が逆向きに作動し、箱ボディ１０に上方から確実に被せられ、パッケージは再び閉じた状態に復帰する。
【００３３】
パッケージの開閉に拘わらず、蓋１２は箱ボディ１０に常時連結された状態にある。それ故、蓋１２が箱ボディ１０から分離されることはないので、蓋１２の取り扱いは容易である。
【００３４】
蓋１２の左右には指掛け部３２がそれぞれ備えられているので、パッケージ、即ち、蓋１２の開閉は容易である。また、蓋１２が箱ボディ１０に完全に被せられたとき、前述したクリック音を明瞭に発生させることができるので、ユーザはパッケージが閉じたことを明確に把握することができる。
【００３５】
図４は、箱ボディ１０を成形するためのブランク５６を示し、このブランク５６は破線の折込み線により複数のパネル及びフラップに区画されている。
【００３６】
詳しくは、ブランク５６は、箱ボディ１０の底壁１４、後壁２０及び横断壁２１を形成するボトムパネル５８，リアパネル６０及びアッパパネル６２を含み、これらパネルはブランク５６の長手軸線に沿って配置され、隣接するパネル同士は折り込み線を介して互いに接続されている。アッパパネル６２の両側縁にはアウタサイドフラップ６４が折り込み線を介してそれぞれ接続され、また、ボトムパネル５８の両側縁にはインナサイドフラップ６６が折り込み線を介してそれぞれ接続されている。対応する側のアウタサイドフラップ６４及びインナサイドフラップ６６は互いに重ね合わされ、箱ボディ１０の側壁１８を形成する。
【００３７】
各インナサイドフラップ６６の一端にはサイドフロントフラップ６８が折り込み線を介してそれぞれ接続されている。これらサイドフロントフラップ６８はボトムパネル５８とは反対側に位置付けられ、箱ボディ１０における前壁１６の補強部材を形成する。
【００３８】
ボトムパネル５８の一端縁にはフロントフラップ７０が折り込み線を介して接続されている。このフロントフラップ７０はサイドフロントフラップ６８間に位置付けられている。フロントフラップ７０は折り込み線７０ｃを有し、この折込み線７０ｃはフロントフラップ７０をアウタ部分７０ａ及びインナ部分７０ｂに区画する。これらアウタ部分７０ａ及びインナ部分７０ｂは互いに協働して箱ボディ１０の前壁１６を形成する。
【００３９】
更に、インナ部分７０ｂの中央には切込み７６が形成されており、この切込み７６は扁平なＵ字形をなしている。切込み７６はインナ部分７０ｂに切り起こし部７８を形成し、この切り起こし部７８が前述した係止タング２２を提供する。
【００４０】
一方、アッパパネル６２には切込み８０が形成されている。この切込み８０はボトムパネル５８側に向けて開いた略Ｕ字形状をなし、リアパネル６０を経てボトムパネル５８まで延びている。即ち、切込み８０は、前述した可動後壁部３６を形成する一対のスリットを形成し、切込み８０の両端はヒンジ３８を介して接続されている。このヒンジ３８は、ボトムパネル５８とリアパネル６０との間の折り込み線の一部を形成する。それ故、上述の切込み８０は、リアパネル６０の一部に可動後壁部３６となる部位８２を形成すると同時に、アッパパネル６２の一部に結合フラップ４０となる部位８４をそれぞれ形成する。これら部位８２，８４は、アッパパネル６２とリアパネル６０との間の折込み線により互いに区画されている。
【００４１】
図５は、箱ボディ１０の前壁１６がフロントフラップ７０のアウタ部分７０ａ及びインナ部分７０ｂ及びサイドフロントフラップ６８から形成されることを示す。図６は、リアパネル６０及びアッパパネル６２が前述の部位８２，８４を残して折り込まれることを示し、これにより、残された部位８２，８４は可動後壁部３６及び結合フラップ４０をそれぞれ形成する。
【００４２】
図７は蓋１２を成形するためのブランク８６を示し、このブランク８６もまた破線の折込み線によりパネル及びフラップに区画されている。
【００４３】
ブランク８６は、蓋１２の上壁２４を形成する矩形のトップパネル８８を含む。このトップパネル８８の四辺には、フロントフラップ９０，左右のサイドフラップ９２及びリアフラップ９４が折り込み線を介してそれぞれ接続されている。これらフラップ９０，９２，９４は前述したフロントフラップ７０と同様に折り込み線を介してインナ及びアウタ部分にそれぞれ区画されている。図７中、フラップ９０，９２，９４のインナ及びアウタ部分、そして、これらインナ及びアウタ部分を区画する折り込み線には対応するフラップと同一の符号に添え字ａ,ｂ,ｃをそれぞれ付加して表されている。上述のフラップ９０，９２，９４はそのインナ及びアウタ部分が互いに重ね合わされることにより、蓋１２の前壁２６，左右の側壁２８及び後壁３０をそれぞれ形成する。
【００４４】
フロントフラップ９０のインナ部分９０ｂには開口９６が形成されており、この開口９６は前述した凹所３４を形成する。また、アウタ部分９０ａ，９４ａの両側縁にはフラップ９８，１００が折込み線を介して接続されており、これらフラップ９０，１００は側壁２８のための補強部材を形成する。
【００４５】
また、各サイドフラップ９２には開口１０２が形成されている。この開口１０２はアウタ及びインナ部分９２ａ，９２ｂ間の折込み線９２ｃを分断するように位置付けられ、これらアウタ及びインナ部分９２ａ，９２ｂが互いに重ね合わされたとき、開口１０２は側壁１８に指掛け部３２を形成する。
【００４６】
図８は、蓋１２の前壁１６がフロントフラップ９０のインナ及びアウタ部分９０ａ，９０ｂから形成されることを示している。図９は蓋１２の側壁２８がサイドフラップ９２のインナ及びアウタ部分９２ａ，９２ｂから形成されることを示している。
【００４７】
図１０は、前述した支えフラップ４４を形成するためのブランク１０４を示し、そして、図１１はブランク１０４がヒンジ５２，５４にてそれぞれ屈曲された状態を示す。
【００４８】
本発明は上述の一実施例に制約されるものではない。
例えば、蓋１２のスライド動作は前述した可動後壁部３６及び支えフラップ４４を含むスライド機構以外の機構によっても実現可能である。
【符号の説明】
【００４９】
１０            箱ボディ
１２            蓋
２１            横断壁（スイング装置）
２２            係止タング（音発生装置）
２４            上壁
３２            指掛け部
３４            凹所（音発生装置）
３６            可動後壁部（スイング装置）
４０            結合フラップ（スイング装置）
４４            支えフラップ（スイング装置）
５６            ブランク
８６            ブランク
１０４          ブランク
【図１】
2009107520.tif 000003
【図２】
2009107520.tif 000004
【図３】
2009107520.tif 000005
【図４】
2009107520.tif 000006
【図５】
2009107520.tif 000007
【図６】
2009107520.tif 000008
【図７】
2009107520.tif 000009
【図８】
2009107520.tif 000010
【図９】
2009107520.tif 000011
【図１０】
2009107520.tif 000012
【図１１】
2009107520.tif 000013
【国際調査報告】
2009107520.tif 000014
2009107520.tif 000015
2009107520.tif 000016
2009107520.tif 000017